(57)【要約】【課題】マスカラ薬剤が塗布されたまつ毛の仕上がり性が良好になり、まつ毛をきれいにカールさせることができるマスカラ塗布具を提供すること。【解決手段】支持軸２２の先端に塗布部２４を備えたマスカラ塗布具２０において、該塗布具が更に、まつ毛を押さえる機能及び／又はまつ毛に塗布されたマスカラ薬剤を除去する機能を有する部位２５を備えている。塗布具２０は把持部２１を有し、把持部２１の一端から延出した支持軸２２の先端に塗布部２４を備えると共に、把持部２１の他端から延出した支持軸２３の先端に、前記部位２５を備えていることが好ましい。【選択図】図１
2008114058.tif 000002
【特許請求の範囲】
【請求項１】
支持軸の先端に塗布部を備えたマスカラ塗布具において、該塗布具が更に、まつ毛を押さえる機能及び／又はまつ毛に塗布されたマスカラ薬剤を除去する機能を有する部位を備えているマスカラ塗布具。
【請求項２】
把持部を有し、該把持部の一端から延出した前記支持軸の先端に前記塗布部を備えると共に、該把持部の他端から延出した支持軸の先端に、前記部位を備えている請求項１記載のマスカラ塗布具。
【請求項３】
前記部位は、前記支持軸の長手方向に延び且つ１面以上の略平面を有する多面体の基台を有している請求項２記載のマスカラ塗布具。
【請求項４】
前記基台は、前記支持軸の長手方向に延び且つ第１の面及びそれと反対側に位置する第２の面を有する板状である請求項３記載のマスカラ塗布具。
【請求項５】
前記基台における第１の面及び第２の面のうちの少なくとも一方が、該基台の長手方向に沿って凸状に又は凹状に湾曲している請求項４記載のマスカラ塗布具。
【請求項６】
前記基台における第１の面及び第２の面が、何れも該基台の長手方向に沿って凸状に若しくは凹状に湾曲しているか、又は一方の面が該基台の長手方向に沿って凸状に湾曲していると共に他方の面が該基台の長手方向に沿って凹状に湾曲している請求項４又は５記載のマスカラ塗布具。
【請求項７】
前記部位は、前記把持部の一端から取りはずしが可能になっているか、又は
前記部位の表面に毛材が結合され、その毛材が交換可能になっている請求項２ないし６の何れかに記載のマスカラ塗布具。
【請求項８】
マスカラ薬剤を収容した容器と、該マスカラ薬剤中に前記塗布部が浸漬されている請求項１記載のマスカラ塗布具とを備えたマスカラ化粧用具。
【発明の詳細な説明】
【技術分野】
【０００１】
本発明はマスカラ塗布具に関する。
【背景技術】
【０００２】
マスカラブラシとしては、例えば熱可塑性樹脂からなる複数のブラシ繊維束を、二条の金属芯線材によって挟持しながら、これらをらせん状に捻回することによって得られる、いわゆるスクリューブラシが知られている（特許文献１参照）。スクリューブラシとは別に、マスカラ液の塗布部が形成された塗布用ブラシと、櫛の歯状のコームが形成された整え用ブラシが一体になったマスカラブラシが提案されている（特許文献２参照）。また、マスカラ塗布具の塗布域を、支持棒の軸方向に弓なりに湾曲させ、その湾曲部に針状突起を設けると共に、その反対側に、塗布箇所を整えるための複数の溝を設けたものが提案されている（特許文献３参照）。しかし、これらのマスカラブラシにおけるまつ毛を整える部位は、マスカラ薬剤の塗布部に近接して設けられているので、当該部位によってまつ毛を整えようとしたときに、塗布部に付着していたマスカラ薬剤が意図せず転写してしまい、まつ毛のまわりを汚してしまうおそれがある。
【０００３】
これらのマスカラブラシとは別に、２剤収納型の容器に異なる２種の化粧料組成物を充填するようにしたマスカラ化粧用具が提案されている（特許文献４参照）。この化粧用具においては、蓋部の両端から支持部がそれぞれ延出しており、各支持部の先端に植毛チップ及びコームがそれぞれ取り付けられている。植毛チップは、トップコート用のマスカラ薬剤の塗布に用いられる。一方、コームはアンダーコート用のマスカラ薬剤の塗布に用いられる。したがって、この化粧用具には、マスカラ薬剤が塗布された後のまつ毛を整える部位は存在しない。
【０００４】
【特許文献１】特開昭６３−１４３００６号公報
【特許文献２】特開２００４−３２９９４６号公報
【特許文献３】特開２００５−１２５０２１号公報
【特許文献４】特開２００２−３２２０３１号公報
【発明の開示】
【発明が解決しようとする課題】
【０００５】
本発明の目的は、前述した従来技術のマスカラ塗布具よりも各種性能が一層向上したマスカラ塗布具を提供することにある。
【課題を解決するための手段】
【０００６】
本発明は、支持軸の先端に塗布部を備えたマスカラ塗布具において、該塗布具が更に、まつ毛を押さえる機能を有する部位を備えているマスカラ塗布具を提供するものである。
【発明の効果】
【０００７】
本発明のマスカラ塗布具によれば、マスカラ薬剤が塗布されたまつ毛の仕上がり性が良好になり、まつ毛をきれいにカールさせることができる。
【発明を実施するための最良の形態】
【０００８】
以下本発明を、その好ましい実施形態に基づき図面を参照しながら説明する。図１（ａ）には本発明の第１の実施形態のマスカラ化粧用具１０の斜視図が示されている。化粧用具１０は縦長であり、その横断面の形状が円形である略円柱状の形状をしている。図１（ａ）及び（ｂ）に示すように化粧用具１０は、第１及び第２のキャップ部１１，１２と、マスカラ塗布具２０とから構成されている。マスカラ塗布具２０は、円柱形状の把持部２１を有している。把持部２１はその長手方向の一端から延出する第１の支持軸２２を有している。これと共に、把持部２１はその長手方向の他端から延出する第２の支持軸２３を有している。第１の支持軸２２と第２の支持軸２３とは、それらの延びる方向が平行となるように把持部２１に取り付けられている。
【０００９】
第１の支持軸２２の先端には、マスカラ薬剤の塗布部２４が備えられている。一方、第２の支持軸２３の先端には、まつ毛の押さえ部２５が備えらえている。これら塗布部２４及び押さえ部２５の詳細については後述する。
【００１０】
第１及び第２のキャップ部１１，１２は何れも略筒状体である。第１及び第２のキャップ部１１，１２はその開口部にねじ山１１Ａ，１２Ａが形成されている。このねじ山１１Ａ，１２Ａは、マスカラ塗布具２０の把持部２１における内壁に形成されたねじ溝と螺合するようになっている。第１及び第２のキャップ部１１，１２が図１（ａ）に示すように把持部２１に螺合した状態においては、上述の塗布部２４及び押さえ部２５は、該第１及び第２のキャップ部１１，１２内に収容されるようになっている。
【００１１】
図１（ａ）に示す状態において、第２のキャップ部１２内には押さえ部２５が収容されている。一方、第１のキャップ部１１内には塗布部２４が収容されている。第１のキャップ部１１内にはマスカラ薬剤が充填されている。同図に示す状態において、該塗布部２４は第１のキャップ部１１内に充填されているマスカラ薬剤中に浸漬されている。このように、第１のキャップ部１１は、塗布部２４を保護するためのキャップとしての働きの他に、マスカラ薬剤を収容する容器としての働きも有している。
【００１２】
塗布部２４は、いわゆるスクリュータイプのブラシと呼ばれる構造を有している。具体的には塗布部２４は、線材からなる芯材と、該芯材に保持された毛材とから構成されている。毛材は、芯材周囲から突出している。芯材の軸線方向から見ると、毛材は放射状に突出している。毛材は、例えば熱可塑性樹脂からなる複数のブラシ繊維束を、二条の金属芯線材（図示せず）によって挟持しながら、これらをらせん状に捻回することによって芯材に保持されている。尤も、塗布部２４の構造はスクリュータイプのブラシに限られず、マスカラブラシの塗布部として用いられている種々の構造を採用することができる。例えばフロッキータイプ、コイルタイプ、コームタイプ、ツリータイプ、カーブタイプ、グラマラスタイプ、つくしタイプ、ひょうたんタイプ、アシンメトリータイプのものを用いることもできる。
【００１３】
押さえ部２５は第２の支持軸２３の長手方向に延びる板状の基台２６を有している。基台２６は、例えば熱可塑性樹脂、熱硬化性樹脂、エラストマー樹脂などの軽量素材から構成されている。基台２６は平面視して縦長の細長い台形をしている。つまり、基台２６は、その先端に向かうに連れて漸次細く（幅狭に）なっている。基台２６は、該基台２６の長手方向に沿って湾曲したアーチ状をしている。これと共に基台２６は、該基台２６の幅方向に関しては平らになっている。更に基台２６は、その先端に向かうに連れて厚みが小さくなっている。
【００１４】
アーチ形の板状をしている基台２６は、第１の面２７と、これと反対側に位置する第２の面２８を有している。第１の面２７は、基台２６の長手方向に沿って凸状に湾曲した凸面になっている。一方、第２の面２８は、基台２６の長手方向に沿って凹状に湾曲した凹面になっている。凸面である第１の面２７と凹面である第２の面２８とは互いに相補形状をなしている。
【００１５】
先に述べたとおり、基台２６はその幅方向に関して平らになっているが、これに代えて、基台２６は、実質的に平らと見なせる範囲において幅方向に関して若干湾曲していてもよい。具体的には、基台２６の第１の面２７側は、その幅方向に関して、外方に向けて若干凸状に湾曲していてもよい。同様に基台２６の第２の面２８側は、その幅方向に関して、内方に向けて若干凹状に湾曲していてもよい。この湾曲に関し、第１の面２７側及び第２の面２８側それぞれの曲率半径は好ましくは３ｍｍ以上、更に好ましくは５ｍｍ以上、一層好ましくは７．５ｍｍ以上である。第１の面２７側及び第２の面２８側それぞれの曲率半径は同じでもよく、或いは異なっていてもよい。
【００１６】
基台２６における第１の面２７及び第２の面２８には何れも毛材２９が密植されている。ここで言う密植とは、第１の面２７側及び第２の面２８側をまつ毛に押し当てたときに毛材２９間にまつ毛が容易に入り込み難い程度の高密度で、及び／又は、毛材２９間にマスカラ薬剤が容易に貯留し難い程度の高密度で毛材２９が植毛されていることをいう。例えば１ｍｍ2当たりの毛材２９の本数が１０〜５００本、特に４０〜４００本である場合には、毛材２９は密植されていると言うことができる。毛材２９は、その一端が基台２６の各面２７，２８に結合されてこれらの面２７，２８から起立している。毛材２９は、例えば静電植毛法によって基台２６に結合され得る。毛材２９がこのように植毛されていることで、押さえ部２７は、まつ毛を押さえる機能及びまつ毛に塗布された余分のマスカラ薬剤を除去する機能を発現する。なお図１には示していないが、本実施形態においては、第１の面２７及び第２の面２８の間の側面にも毛材が結合されていてもよい。
【００１７】
押さえ部２５の詳細について更に説明すると、押さえ部２５を構成する基台２６は、その長手方向の長さが２０〜４０ｍｍ、特に２５〜３０ｍｍであることが、内眼角から外眼角にわたるまつ毛全体を一度に押さえることができる点から好ましい。また基台２６は、その幅方向の長さが５〜８ｍｍ、特に６〜７．５ｍｍであることが、まつ毛の根元から毛先にわたる全体を押さえることができる点から好ましい。基台２６の長手方向に沿う湾曲の程度、即ち、第１の面２７及び第２の面２８の長手方向に沿う湾曲の程度は、曲率半径で表して１５ｍｍ以上、特に２５ｍｍ以上であることが、瞼の湾曲に合わせてまつ毛を確実に押さえつけることができる点から好ましい。なお、曲率半径の上限値に特に制限はない。曲率半径が無限大になった状態が、第１の面２７及び第２の面２８のうちの少なくとも一方が平面である状態に相当する。つまり本実施形態における基台２６の第１の面２７及び第２の面２８は何れも、幅方向には平らであり、長手方向には湾曲していたが、これに代えてこれらの面のうちの少なくとも一方は幅方向及び長手方向の何れの方向にも平らであってもよい（後述する図４（ｂ）参照）。
【００１８】
基台２６の各面２７，２８に立設されている毛材２９は、その長さが０．５〜２ｍｍ、特に０．５〜１．８ｍｍであることが、まつ毛を首尾良く押し付けることができる点から好ましい。同様の理由により、毛材２９の太さは、直径で表して０．０２〜０．０８ｍｍ、特に０．０３〜０．０７ｍｍであることが好ましい。この場合、第１の面２７及び第２の面２８における毛材２９の材質や太さ、長さ、本数は同じでもよく、或いは異なっていてもよい。
【００１９】
本発明においては、基台２６の第１の面２７及び／又は第２の面２８に毛材２９を密植することに代えて、該面を凹凸面にすることで、該面にまつ毛を押さえる機能及び／又はマスカラ薬剤を除去する機能を付与することができる。第１の面２７及び／又は第２の面２８を凹凸面にするためには、例えば該面をサンドペーパーで擦って粗面にすればよい。或いは、該面に、多数のスポンジの小片を、不連続に貼り付けてもよい。
【００２０】
図２（ａ）〜（ｃ）には、本実施形態のマスカラ化粧用具１０を用いてマスカラ薬剤をまつ毛に塗布している状態が示されている。まず図２（ａ）に示すように、マスカラ塗布具２０の塗布部２４にマスカラ薬剤を貯留させた状態下に、該塗布部２４をまつ毛に当接させて塗布具２０を上方に移動させる。これによってまつ毛に薬剤を塗布する。この操作を、所望の量のマスカラ薬剤がまつ毛に塗布されるまで行う。
【００２１】
このようにしてまつ毛にマスカラ薬剤が塗布されたら、次に図２（ｂ）に示すように、マスカラ塗布具１０を左右反転させて、押さえ部２５を目元に近づける。そして押さえ部２５における第２の面２８側をまつ毛に押し当てる。押さえ部２５はまつ毛を押さえる機能を有しているので、該押さえ部２５をまつ毛に押し当ててしばしの間その状態を維持することで、まつ毛にきれいなカールが賦与され仕上がり性が良好になる。この場合、押さえ部２５における第２の面２８側は、瞼の湾曲形状にほぼ合致して長手方向へ凹状に湾曲しているので、内眼角から外眼角までの広い範囲にわたり、１回の操作でまつ毛を押し当てることができる。
【００２２】
また、まつ毛の下側に存在していたマスカラ薬剤の一部が、押さえ部２５による押さえつけでまつ毛の上側に移動する。更に、押さえ部２５は余分のマスカラ薬剤を除去する機能を有しているので、まつ毛の下側に存在していたマスカラ薬剤の一部が、押さえ部２５に転写されてまつ毛から除去される。これらの作用の結果、マスカラ薬剤はまつ毛の上側に偏在することになる。これによって、カールの形状が一層きれいになると共に、その形状が安定的に維持されるようになる。
【００２３】
押さえ部２５によってまつ毛を押し当てる場合には、特にまつ毛の先端域におけるまつ毛の下面側を押し当てるようにすると、まつ毛の下面側に存在していたマスカラ薬剤が上面側に更に移動する。その結果、まつ毛が上方に向けて湾曲したカール形状が維持されやすくなるので好ましい。
【００２４】
図２（ｂ）に示すように、押さえ部２５における第２の面２８側でまつ毛を押さえつける場合、内眼角近辺や、外眼角近辺のまつ毛を押さえつけることが容易でない場合がある。そのような場合には、例えば図２（ｃ）に示すように、押さえ部２５を表裏反転させて、凸面になっている第１の面２７側を使用者の肌に向け、その先端部を用い、内眼角近辺や外眼角近辺（図２（ｃ）では外眼角近辺）のまつ毛を押さえつけることが有利である。
【００２５】
このように本実施形態によれば、押さえ部２５の種々の部位を使い分けることで、まつ毛全体をきれいにカールさせることが可能となる。また、押さえ部２５が塗布部２４と別個に設けられており、該押さえ部２５はマスカラ薬剤中に浸漬された状態になっていないので、まつ毛を押さえるときに目の周囲をマスカラ薬剤で汚すことが防止される。しかも、押さえ部２５にはマスカラ薬剤が貯留されていないので、まつ毛を押さえる操作自体も行いやすい。
【００２６】
本実施形態のマスカラ化粧用具１０によって塗布されるマスカラ薬剤の種類に特に制限はなく、従来公知のものを塗布の対象とすることができる。特に、本出願人の先の出願に係る特開２００５−２６３７０２号公報や特開２００５−２９８４９７号公報に記載のマスカラ薬剤とマスカラ塗布具２０とを組み合わせて使用することで、まつ毛に一層きれいなカールを賦与することができる。
【００２７】
次に、本発明の他の実施形態を、図３（ａ）及び（ｂ）並びに図４（ａ）及び（ｂ）を参照しながら説明する。これらの実施形態に関し特に説明しない点については、先に述べた実施形態に関する説明が適宜適用される。図３（ａ）及び（ｂ）並びに図４（ａ）及び（ｂ）において図１（ａ）及び（ｂ）と同じ部材には同じ符号を付してある。
【００２８】
図３（ａ）及び（ｂ）に示す実施形態の塗布具２０は、第２の支持軸２３の長手方向に延び且つ１面以上の略平面を有する多面体の基台２６を有している。図３（ａ）に示す基台２６は、その断面が正三角形である三角柱の形状をしており、３面の平面部を有している。一方、図３（ｂ）に示す基台２６は、その断面が正方形である四角柱の形状をしており、４面の平面部を有している。各基台共に、各平面部には毛材２９が密植されている。各平面部における毛材２９の密植の程度は同じでもよく、或いは異なっていてもよい。また各平面部における毛材２９の長さは同じでもよく、或いは異なっていてもよい。これらの実施形態によれば、第１の実施形態と同様の効果が奏される。
【００２９】
図３（ａ）及び（ｂ）に示す実施の塗布具２０においては、基台２６及び毛材２９を含む押さえ部２５が、把持部２１の一端から取り外し可能になっている。具体的には、基台２６が取り付けられている支持軸２３が、着脱可能に把持部２１に螺合されている。押さえ部２５が取り外し可能になっていることで、該押さえ部２５が汚れた場合にこれを取り替えたり、洗浄したりすることができるという利点がある。
【００３０】
また図３（ａ）及び（ｂ）に示す実施の塗布具２０においては、押さえ部２５が取り外し可能になっていることに代えて、又はそれに加えて、基台２６の各平面部に結合されている毛材２９が交換可能になっていてもよい。毛材２９を交換可能とするためには、例えば毛材２９をシート上に静電植毛しておき、該シートを着脱可能に基台２６に貼り付けられるようにすればよい。毛材２９が交換可能になっていることで、基台２６を衛生的に保つことが可能になるという利点がある。
【００３１】
図４（ａ）及び（ｂ）に示す実施形態の塗布具２０が、第１の実施形態の塗布具と異なる点は、押さえ部２５における基台２６の形状である。第１の実施形態においては、基台２６の第１の面２７が長手方向に沿って凸状に湾曲しており且つ第２の面２８が長手方向に沿って凹状に湾曲していたが、図４（ａ）に示す実施形態においては、基台２６の第１及び第２の面２７，２８が何れも長手方向に沿って凹状に湾曲している。この場合、第１の面２７と第２の面２８での湾曲の程度は同じでもよく、或いは異なっていてもよい。一方、図４（ｂ）に示す実施形態においては、基台２６の第１及び第２の面２７，２８が何れも長手方向及び幅方向に沿って平らになっている。即ち基台２６は平板状である。それ以外の点については、これらの実施形態は、第１の実施形態と同様である。そしてこれらの実施形態によれば、第１の実施形態と同様の効果が奏される。なお、本実施形態においては、図３（ａ）及び（ｂ）に示す実施形態と同様に、押さえ部２５が取り外し可能になっていてもよい。或いはそれに代えて、又はそれに加えて、基台２６に結合されている毛材２９が交換可能になっていてもよい。
【００３２】
以上、本発明をその好ましい実施形態に基づき説明したが、本発明は前記実施形態に制限されない。例えば図１（ａ）及び（ｂ）に示す実施形態においては、基台２６の第１の面２７及び第２の面２８の何れもが湾曲形状であったが、これに代えて、基台２６における第１の面２７及び第２の面２８のうちの一方のみが、基台２６の長手方向に沿って凸状に又は凹状に湾曲していてもよい。例えば第１の面を凸状の湾曲形状となし且つ第２の面を平面状となしてもよい。或いは、第１の面を平面状となし且つ第２の面を凹状の湾曲形状となしてもよい。
【００３３】
また、第２のキャップはマスカラ塗布具２０の把持部２１における内壁に形成されたネジ溝と螺合するようになっているが、これに代えて、単に第２のキャップを把持部上方に嵌め込むだけのオーバーキャップ方式の嵌合にしても良い。
【００３４】
また、図４（ａ）に示す実施形態においては、基台２６の第１及び第２の面２７，２８が何れも長手方向に沿って凹状に湾曲していたが、これに代えて、第１及び第２の面２７，２８が何れも長手方向に沿って凸状に湾曲していてもよい。
【００３５】
更に本発明の塗布具はマスカラ薬剤をまつ毛に塗布するのに特に適したものであるが、これ以外にも例えば眉毛や頭髪の生え際に薬剤や化粧料を塗布するために用いることもできる。
【図面の簡単な説明】
【００３６】
【図１】図１（ａ）は、本発明のマスカラ化粧用具の一実施形態示す斜視図であり、図１（ｂ）は、図１（ａ）に示すマスカラ化粧用具を分解して示す斜視図である。
【図２】図２（ａ）ないし（ｃ）は、図１（ａ）及び（ｂ）に示すマスカラ化粧用具を用いてまつ毛にマスカラ薬剤を塗布する状態を示す説明図である。
【図３】図３（ａ）及び（ｂ）は、本発明のマスカラ化粧用具におけるマスカラ塗布具の別の実施形態を示す斜視図である。
【図４】図４（ａ）及び（ｂ）は、本発明のマスカラ化粧用具におけるマスカラ塗布具の別の実施形態を示す斜視図である。
【符号の説明】
【００３７】
１０  マスカラ化粧用具
１１  第１のキャップ部
１２  第２のキャップ部
２０  マスカラ塗布具
２１  把持部
２２  第１の支持軸
２３  第２の支持軸
２４  塗布部
２５  押さえ部
２６  基台
２７  第１の面
２８  第２の面
２９  毛材
【図１】
2008114058.tif 000003
【図２】
2008114058.tif 000004
【図３】
2008114058.tif 000005
【図４】
2008114058.tif 000006